(57)【要約】【課題】  収納部内を広範囲に亘って好適に照明することのできる車両用収納ボックスを提供する。【解決手段】コンソールボックス１１は、有底長四角筒状をなすボックス本体１２と、該ボックス本体１２の開口を開閉可能に閉塞する蓋体１３とより構成されている。蓋体１３は、内蓋１５と、該内蓋１５の外方に設けられた外蓋１６とより構成されている。内蓋１５及び外蓋１６は、それぞれの後端部に配設された回動軸１７（２０）を中心にして上下方向に回動するようにボックス本体１２の左右両側壁に軸着されている。外蓋１６の前端部の内面にはＬＥＤ２３が設けられている。そして、外蓋１６が上方へ回動して第１収納部１４が開放された際には、ＬＥＤ２３の光が第１収納部１４に対して後方側斜め上方から前方側斜め下方へ傾斜しながら照射されるようになっている。【選択図】      図２
2006036091.tif 000002
【特許請求の範囲】
【請求項１】
収納部と、該収納部の開口を開閉可能に閉塞する蓋体とを備えた車両用収納ボックスであって、
前記蓋体の内面には、前記収納部内を照明する光源が設けられていることを特徴とする車両用収納ボックス。
【請求項２】
前記蓋体は、一端部に回動軸を有し、他端部に前記光源を有してなることを特徴とする請求項１に記載の車両用収納ボックス。
【請求項３】
前記蓋体は前記収納部の開口を開閉可能に閉塞する内蓋と、該内蓋の外面を閉塞する外蓋とより構成され、
前記光源は前記外蓋の内面に設けられ、
前記内蓋の他端部には貫通孔が設けられ、当該貫通孔を通じて前記光源が前記内蓋の内面から突出してなることを特徴とする請求項２に記載の車両用収納ボックス。
【発明の詳細な説明】
【技術分野】
【０００１】
本発明は、車両において、例えば運転席と助手席との間に設置されるコンソールボックス等の車両用収納ボックスに関するものである。
【背景技術】
【０００２】
従来より、夜間においてはコンソールボックスの内部が視認し難いため、そこから特定の収納物を見つけ出すことは容易ではなく、時間を要するものであった。そこで、夜間でもコンソールボックスの内部を視認し易いものとするため、内部を照明するための照明装置が設けられたコンソールボックスが知られている。この種のコンソールボックスとして、例えば特許文献１に示すものが知られている。このコンソールボックスは、有底長四角筒状をなすボックス本体と、該ボックス本体の開口を開閉可能に閉塞する蓋体とより構成されている。コンソールボックスは、その長手方向が車両の前後方向と一致するように配設されている。ボックス本体の外壁面にはＬＥＤ（発光ダイオード）モジュールが固定されている。このＬＥＤモジュールのＬＥＤは、その先端部がボックス本体の外壁を貫通してなる貫通孔内に配設されている。当該ＬＥＤの光は、貫通孔を通じてボックス本体内へ放射される。これにより、ボックス本体内が照明される。
【特許文献１】特開２００２−１４４９６５号公報
【発明の開示】
【発明が解決しようとする課題】
【０００３】
ところが、上記従来のコンソールボックスでは、ボックス本体の外壁面にＬＥＤが設けられているため、照明範囲が狭いものであった。特に、貫通孔に対向する箇所に嵩高な収納物を配置した場合には、当該収納物によりＬＥＤの光が遮られてしまい、ボックス本体内が十分に照明されないという不都合があった。そして、夜間にボックス本体内から収納物を取り出すべく使用者が同ボックス本体内を視認した場合には、ボックス本体内の照明が十分になされていない状態で所望の収納物を見つけ出さなければならなく、その作業が不便であるとともに面倒なものであった。従って、上記従来のコンソールボックスは、夜間における使い勝手の点においてなお改善の余地を残すものとなっていた。
【０００４】
本発明は、このような従来技術に存在する問題点に着目してなされたものである。その目的とするところは、収納部内を広範囲に亘って好適に照明することのできる車両用収納ボックスを提供することにある。
【課題を解決するための手段】
【０００５】
上記の目的を達成するために、請求項１に記載の発明の車両用収納ボックスは、収納部と、該収納部の開口を開閉可能に閉塞する蓋体とを備えた車両用収納ボックスであって、前記蓋体の内面には、前記収納部内を照明する光源が設けられていることを要旨とする。
【０００６】
この構成によれば、蓋体の開放に伴って光源は収納部の外方（収納部から離れた位置）に配置される。つまり、収納部の内部がその外方から照明されるため、当該収納部の内部が広範囲に亘って照明され得る。加えて、収納部内に収納された複数の収納物に対して、それぞれほぼ均等に光が照射されるため、当該収納物が明るく照らされる。
【０００７】
請求項２に記載の発明の車両用収納ボックスは、請求項１に記載の発明において、前記蓋体は、一端部に回動軸を有し、他端部に前記光源を有してなることを要旨とする。
この構成によれば、蓋体は、その一端部の回動軸により回動可能とされている。また、蓋体は、前記回動軸の反対側、つまり蓋体の他端部の内面に光源を有している。このため、蓋体の中央部又は一端部（回動軸の近傍）に光源を設ける構成に比べて、本請求項２の構成によれば、収納部を開放すべく蓋体を回動した際に、収納部から離れた位置からの広範囲の照明が可能となる。従って、収納部の内部が一層好適に照明され得る。
【０００８】
請求項３に記載の発明の車両用収納ボックスは、請求項２に記載の発明において、前記蓋体は前記収納部の開口を開閉可能に閉塞する内蓋と、該内蓋の外面を閉塞する外蓋とより構成され、前記光源は前記外蓋の内面に設けられ、前記内蓋の他端部には貫通孔が設けられ、当該貫通孔を通じて前記光源が前記内蓋の内面から突出してなることを要旨とする。
【０００９】
この構成によれば、収納部の開口が内蓋により閉塞されている状態から外蓋及び内蓋をともに回動させた場合には、収納部が開放されてその内部が光源により照明される。また、収納部の開口が内蓋により閉塞されている状態から外蓋のみを回動させた場合には、内蓋の外面が開放されて当該外面が光源により照明される。ここで、本請求項３では、外蓋及び内蓋をともに回動させた状態で、光源が内蓋の内面から突出するように構成されている。このため、前述の様に収納部内を照明する際には、光源の光のほとんど全部が収納部内へ照射され得る。従って、収納部内を照明する光の量が増大する。
【発明の効果】
【００１０】
本発明の車両用収納ボックスによれば、収納部内を広範囲に亘って好適に照明することができる。
【発明を実施するための最良の形態】
【００１１】
以下、本発明の車両用収納ボックスをコンソールボックスに具体化した一実施形態を図面に基づいて詳細に説明する。
図１に示すように、コンソールボックス１１は、有底長四角筒状をなすボックス本体１２と、ボックス本体１２の上端部（開口）を開閉可能に閉塞する長四角板状をなす蓋体１３とより構成されている。コンソールボックス１１は、車両の車室内で運転席と助手席との間に設置されており、その長手方向が車両の前後方向と一致するように配置されている。そして、コンソールボックス１１は、車両の床面を構成するフロアパネル（図示略）上に取付けられるようになっている。
【００１２】
ボックス本体１２は合成樹脂より形成され、車両の左右方向及び前後方向に対向するそれぞれ一対の側壁により上面が開口されて構成されている。ボックス本体１２は、前記側壁により取り囲まれた領域に、収納物を収納するための第１収納部１４を有している。この第１収納部１４は、また、蓋体１３は、内蓋１５と、該内蓋１５の外方（図１では上方）に設けられた外蓋１６とより構成されている。内蓋１５は長四角板状に形成され、その一端部（後端部）に配設された第１回動軸１７を中心にして上下方向に回動するようにボックス本体１２（第１収納部１４）の左右両側壁に軸着されている。そして、この内蓋１５により、ボックス本体１２の第１収納部１４の開口が開閉可能に閉塞されるようになっている。
【００１３】
内蓋１５の外面（図１では上面）には第２収納部１８が凹設されている。該第２収納部１８は、上面が開口された底浅に形成されており、その内部には小物等の収納物が収納されるようになっている。この第２収納部１８より僅かに前方側（内蓋１５の前端部）には、貫通孔１９が設けられている。該貫通孔１９は、内蓋１５の外面から内面にかけて、その長手方向に直交する方向に貫通して形成されている（図１参照）。
【００１４】
外蓋１６は長四角板状に形成され、前記内蓋１５と同様に、その一端部（後端部）に配設された第２回動軸２０を中心にして上下方向に回動するようにボックス本体１２（第１収納部１４）の左右両側壁に軸着されている。この第２回動軸２０は、前記第１回動軸１７と同じ位置でボックス本体１２の左右両側壁に軸着されている。そして、この外蓋１６により、内蓋１５の外面（第２収納部１８）の開口が開閉可能に閉塞されている。この状態で、外蓋１６は、その前端部内面を内蓋１５の前端部外面に当接させている。つまり、内蓋１５を上方へ回動すると、これに追従して外蓋１６も同様に上方へ回動するようになっている（図２参照）。
【００１５】
本実施形態の外蓋１６及び内蓋１５は、ともに図１に示す両収納部１４,１８の閉塞状態から上方へ凡そ９０°回動した状態で保持される機構（図示略）を有している。ここで、図２に示すように、内蓋１５及び外蓋１６がともに上方へ９０°回動して第１収納部１４が開放された状態を、第１収納部１４の開放状態とする。また、図３に示すように、内蓋１５により第１収納部１４が閉塞されている状態で外蓋１６のみを上方へ９０°回動して第２収納部１８が開放された状態を、第２収納部１８の開放状態とする。
【００１６】
図１に示すように、外蓋１６の前端部の内面には突部２１が設けられている。この突部２１は、外蓋１６の長手方向に直交して突設されている。図１に示すように、両収納部１４,１８が閉塞されているとき、該突部２１は、その先端面（内面）が内蓋１５の内面と同一高さに配置された状態で貫通孔１９内に収容されている。
【００１７】
突部２１の先端面には、ＬＥＤ（発光ダイオード）モジュール２２が取付けられている。このＬＥＤモジュール２２に備えられた光源としてのＬＥＤ２３は、内蓋１５の内面から突出して設けられている。ＬＥＤ２３は、図２に示す第１収納部１４の開放状態にて、先端部が前方側斜め下方へ傾斜するように配設されている。つまり本実施形態のＬＥＤ２３から発せられた光は、第１収納部１４に対して後方側斜め上方から前方側斜め下方へ傾斜しながら照射されるようになっている（図２参照）。
【００１８】
また、本実施形態のコンソールボックス１１には、外蓋１６の上方への回動に伴ってＬＥＤ２３を発光させるセンサ又はスイッチ（いずれも図示略）が搭載されている。当該ＬＥＤ２３の発光色は特に限定されるものではなく、発光色の異なる複数のＬＥＤ２３を組み合わせて多種多様の照明色を用いてもよい。これらの中でも本実施形態のＬＥＤ２３の発光色としては、目に優しく、夜間におけるムードの演出効果を発揮することができる青色又は紫色が好ましい。
【００１９】
次に、本実施形態のコンソールボックス１１の作用について以下に説明する。
夜間に第１収納部１４から収納物を取り出す際には、まず図１に示す両収納部１４,１８の閉塞状態から内蓋１５及び外蓋１６を一体で上方へ回動させる。このとき、外蓋１６の回動に伴ってＬＥＤ２３が発光する。図２に示すように、内蓋１５及び外蓋１６が一体となって凡そ９０°回動したとき、両者１５,１６はその状態で保持され、第１収納部１４が開放される。すると、ＬＥＤ２３から発せられた光は図２の矢印で示されるように、第１収納部１４の内部に照射される。
【００２０】
このとき、ＬＥＤ２３は第１収納部１４の上方に配置される。つまり、本実施形態では、第１収納部１４内に収納される収納物を上方から照明する構成とされている。このため、全ての収納物に対してそれらの上方から均等に光が照射される。従って、第１収納部１４に収納された複数の収納物が均等に照明された状態で、使用者は所望の収納物を容易に見つけ出すことができる。加えて、ＬＥＤ２３の光は、第１収納部１４に対して後方側斜め上方から前方側斜め下方へ傾斜しながら照射される。このため、第１収納部１４の内部が前後方向の広範囲に亘って均一に照明される。
【００２１】
さらに、光源として用いたＬＥＤ２３の光は指向性が優れており、所定箇所（第１収納部１４の内部）が集中的に照明され、散乱しにくい。その結果、第１収納部１４から所望の収納物を把持すべく同第１収納部１４内に挿入した使用者の手指周辺が特に明るく照明される。このため、所望の収納物を把持し易くなる。
【００２２】
また、図１に示す両収納部１４,１８の閉塞状態から第２収納部１８内の収納物を取り出す際には、内蓋１５により第１収納部１４が閉塞されている状態で外蓋１６のみを上方へ回動させる。そして、当該外蓋１６が凡そ９０°回動したとき、外蓋１６はその状態で保持され、第２収納部１８が開放される（図３参照）。すると、ＬＥＤ２３から発せられた光は図３の矢印で示されるように、第２収納部１８の内部に照射される。この場合も上記と同様に、ＬＥＤ２３の光は、第２収納部１８に対して後方側斜め上方から前方側斜め下方へ傾斜しながら照射されるため、第２収納部１８の内部が前後方向の広範囲に亘って均一に照明される。その結果、第２収納部１８に収納された複数の収納物が均等に照明された状態で、使用者は所望の収納物を容易に見つけ出すことができる。
【００２３】
前記の実施形態によって発揮される効果について、以下に記載する。
・  本実施形態では、蓋体１３の内面にＬＥＤ２３が設けられている。つまり、蓋体１３の上方への回動に伴い第１収納部１４の上方にＬＥＤ２３が位置するように構成されている。このため、ＬＥＤ２３から発せられた光は第１収納部１４に対して上方から傾斜しながら照射されることから、同第１収納部１４内を広範囲に亘って好適に照明することができる。
【００２４】
また、ＬＥＤ２３の光は、第１収納部１４内の複数の収納物に対して直線状の光路に沿って直接照射されるため、全ての収納物が均等に照明される。従って、本実施形態のコンソールボックス１１では、ボックス本体１２を構成する側壁の一部にＬＥＤ２３が設けられている上記従来構成の様にＬＥＤ２３の光が嵩高な収納物によって遮られて他の収納物が照明され難くなるという不都合が生じない。その結果、使用者は第１収納部１４から所望の収納物を容易且つ迅速に見つけ出すことができる。
【００２５】
・  外蓋１６に設けられたＬＥＤ２３により、第１収納部１４と第２収納部１８とがそれぞれ別途照明される。つまり、第１収納部１４と第２収納部１８とが同一の光源により照明される。このため、各収納部１４,１８をそれぞれ異なる光源により照明する構成に比べて、本実施形態では部品点数が低減されることから、構成の簡素化を図ることができる。
【００２６】
・  ＬＥＤ２３は外蓋１６の先端部（前端部）に設けられている。この場合、外蓋１６の基端部（後端部）又は中央部にＬＥＤ２３を設けた構成に比べて、収納部１４,１８に対する好適な照明範囲を確保することができる。
【００２７】
・  ＬＥＤ２３は内蓋１５の内面から外方へ突出して設けられている。このため、ＬＥＤ２３から発せられた光が第１収納部１４に到達するまでに弱まることがない。つまり、ＬＥＤ２３の光のほとんど全部が第１収納部１４内に照射される。従って、第１収納部１４内を効率良く照明することができる。
【００２８】
・  本実施形態では、光源としてＬＥＤ２３が採用されている。このＬＥＤ２３から発せられる光は指向性が優れており、これに伴って所定方向以外への光の散乱を好適に抑制される。つまり、所望箇所（収納部１４,１８内）を効率よく照明することができる。
【００２９】
・  本実施形態では、外蓋１６の回動に伴ってＬＥＤ２３が発光する構成とされている。つまり、各収納部１４,１８から収納物を取り出すべく外蓋１６を上方へ回動させる際に収納部１４,１８内が自動的に照明される。このため、蓋体１３を上方へ回動した後に別途光源を点灯する操作が必要な構成に比べて、本実施形態のコンソールボックス１１は、その使用性を向上させることができる。
【００３０】
（変更例）
なお、本実施形態は、次のように変更して具体化することも可能である。
・  突部２１を省略して、ＬＥＤ２３（ＬＥＤモジュール２２）を内蓋１５の貫通孔１９内に収容する構成としてもよい。この場合、貫通孔１９を、前記ＬＥＤ２３の配設方向（基端から先端に向かう方向）と一致する方向に形成するのが好ましい。つまり、当該貫通孔１９を、内蓋１５の外面から内面にかけて先端部側から基端部側へ傾斜するように形成するのが好ましい。このように構成した場合、第１収納部１４の開放状態において、ＬＥＤ２３の光は貫通孔１９を通じて第１収納部１４内に好適に照射される。
【００３１】
またこのとき、ＬＥＤ２３の下方（内蓋１５の内面側）に位置する貫通孔１９内にメタクリル系樹脂等よりなる透明又は半透明の板状部材（フィルム又はシート）を設ける構成としてもよい。この場合には、ＬＥＤ２３の光を確実に収納部１４,１８内へ照射させることができる。
【００３２】
・  本実施形態では外蓋１６の前端部にＬＥＤ２３を設けたが、これを外蓋１６の中央部又は後端部のいずれかに設ける構成としてもよい。また、外蓋１６の前端部に加えて、外蓋１６の中央部及び後端部の少なくとも一方にも本実施形態のＬＥＤ２３を設けてもよい。このように構成した場合、収納部１４,１８内を一層明るく照明することができる。
【００３３】
・  外蓋１６の内面に加えて、内蓋１５の内面にも本実施形態のＬＥＤ２３を設ける構成を採用してもよい。この場合、内蓋１５の前端部内面にＬＥＤ２３を設ける構成が好ましい。
【００３４】
・  本実施形態では、内蓋１５により第１収納部１４を閉塞する構成とされたが、これを外蓋１６により閉塞する構成としてもよい。つまり、内蓋１５の前端が、例えば外蓋１６の前後方向中央部に配設されるように短く設定される。またこの場合、内蓋１５を省略する構成を採用してもよい。
【００３５】
・  本実施形態のＬＥＤ２３は、第１収納部１４の開放状態にて、先端部が前方側斜め下方へ傾斜する方向に配設されていたが、当該ＬＥＤ２３の配設方向はこれに限定されるものではない。この場合、ＬＥＤ２３の先端部が如何なる方向に向けられていても、当該ＬＥＤ２３の近傍にプリズムレンズ、回折格子、反射鏡等の光学部材を設けることによりＬＥＤ２３の光が収納部１４,１８に向けて屈折される。その結果、収納部１４,１８内が好適に照明され得る。
【００３６】
・  蓋体１３が前後方向にスライド移動可能とされるコンソールボックス１１においても、本実施形態の構成を採用してもよい。この場合、図４に示すように、ボックス本体１２の左右両側に、車両の前後方向へ平行に延びる一対の支持壁４１が設けられる。両支持壁４１の内面にはガイド部としてのガイド溝４２が、車両の前後方向へ延びるように形成されている。一方、蓋体１３の後端部の両側面には、それぞれ一対の係合部としての係合ピン４３，４３が突設されている。当該蓋体１３の前端部内面には本実施形態と同様のＬＥＤ２３が取付けられている。第１収納部１４が蓋体１３により閉塞されている状態（実線）から当該蓋体１３を二点鎖線で示す位置まで後方へ移動させ、係合ピン４３，４３をガイド溝４２の内端縁にそれぞれ係合させることにより、第１収納部１４が開放される。このとき、ＬＥＤ２３は第１収納部１４と対向する位置（第１収納部１４の上方）に配置され、この状態で、ＬＥＤ２３により第１収納部１４内がその上方から照明される。なお、第１収納部１４が蓋体１３により閉塞されている状態から当該蓋体１３を前方へ移動させることにより第１収納部１４が開放されるように構成されているコンソールボックス１１においても、その蓋体１３の後端部内面にＬＥＤ２３を設けることにより、上記と同様の作用効果が発揮される。
【００３７】
・  コンソールボックス１１以外の車両用収納ボックス（グローブボックス等）の蓋体に本実施形態と同様のＬＥＤ２３を設けてもよい。
・  ＬＥＤ２３の代わりにバルブ電球を光源として使用してもよい。
【００３８】
さらに、前記実施形態より把握できる技術的思想について以下に記載する。
・  前記蓋体は前記収納部の開口を開閉可能に閉塞する内蓋と、該内蓋の外面を閉塞する外蓋とより構成され、前記光源は前記外蓋の内面に設けられ、前記内蓋の他端部には、前記光源を収容する貫通孔が設けられていることを特徴とする請求項２に記載の車両用収納ボックス。
【００３９】
・  前記蓋体は前記収納部の開口に沿ってスライド移動可能に構成され、前記光源は前記蓋体の端部に設けられ、前記光源は前記収納部の開放状態で前記収納部と対向する位置に配置されてなることを特徴とする請求項１に記載の車両用収納ボックス。この構成によれば、光源の光は収納部と対向する位置から当該収納部へ照射されるため、収納部の内部を好適に照明することができる。
【００４０】
・  前記収納部の両側には、車両の前後方向へ平行に延びる支持壁がそれぞれ設けられ、各支持壁の内面には車両の前後方向へ延びるガイド部が設けられ、前記蓋体は、その一端部の側面に係合部を有してなるとともに、他端部に前記光源を有してなり、当該蓋体は前記係合部を前記ガイド部に係入させることにより前記ガイド部に沿って車両の前後方向へ移動可能に支持されてなることを特徴とする請求項１に記載の車両用収納ボックス。この構成によれば、収納部の内部がその外方から照明されるため、当該収納部の内部を広範囲に亘って照明することができる。
【図面の簡単な説明】
【００４１】
【図１】本実施形態のコンソールボックスを示す側断面図。
【図２】第１収納部の開放状態にある同コンソールボックスを示す側断面図。
【図３】第２収納部の開放状態にある同コンソールボックスを示す側断面図。
【図４】変更例のコンソールボックスを示す側断面図。
【符号の説明】
【００４２】
１１…車両用収納ボックスとしてのコンソールボックス、１３…蓋体、１４…第１収納部、１５…内蓋、１６…外蓋、１７…第１回動軸、１８…第２収納部、１９…貫通孔、２０…第２回動軸、２３…光源としてのＬＥＤ。
【図１】
2006036091.tif 000003
【図２】
2006036091.tif 000004
【図３】
2006036091.tif 000005
【図４】
2006036091.tif 000006